(57)【要約】【課題】比較対象の２つの入力画像の差分を検出する際に、差分結果に含めない領域を２つの入力画像ごとにそれぞれ指定する。【解決手段】  図面データ受付部４１は、新旧図面データを受け付ける。除外領域指定部４２は、図面データ受付部４１により受け付けられた新旧図面データごとに除外領域をそれぞれ指定する。差分検出部４３は、新旧図面データにおいて、除外領域指定部４２により指定された除外領域以外の領域に含まれる画像データどうしの差分を検出する。差分画像生成部４５は、差分検出部４３により検出された差分結果を示す差分画像を生成する。【選択図】図３
2015231181.tif 000002
【特許請求の範囲】
【請求項１】
比較対象の２つの入力画像を受け付ける受付手段と、
前記受付手段により受け付けられた２つの入力画像ごとに一部の領域を除外領域としてそれぞれ指定する指定手段と、
前記２つの入力画像において、前記指定手段により指定されたそれぞれの除外領域以外の領域に含まれる画像データどうしの差分を検出する検出手段と、
前記検出手段により検出された差分結果を示す差分画像を生成する生成手段と、
を有する画像処理装置。
【請求項２】
前記検出手段は、前記指定手段により指定されたそれぞれの除外領域に含まれる画素が無効画素であるものとして、前記２つの入力画像の対応する画素どうしを比較することにより差分を検出する請求項１記載の画像処理装置。
【請求項３】
前記生成手段は、前記指定手段により指定された除外領域に含まれる画像データを予め定められた濃度又は色で前記差分画像に重ねる請求項１または２記載の画像処理装置。
【請求項４】
前記生成手段は、前記２つの入力画像のうち、一方の入力画像の除外領域と、他方の入力画像の除外領域とで共通する除外領域がある場合には、当該共通する除外領域に含まれる前記一方の入力画像の画像データを、予め定められた濃度又は色で前記差分画像に重ねる請求項３記載の画像処理装置。
【請求項５】
前記生成手段は、前記２つの入力画像のうち、一方の入力画像の除外領域以外の領域に含まれる有効画素が、他方の入力画像の除外領域と対応する領域に含まれない場合には、当該他方の入力画像の除外領域に含まれる画像データを予め定められた濃度又は色で前記差分画像に重ねて、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを前記予め定められた濃度よりも薄い濃度又は前記予め定められた色とは異なる色で前記差分画像に重ねる請求項３または４記載の画像処理装置。
【請求項６】
前記生成手段は、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを、前記予め定められた濃度よりも薄い濃度又は前記予め定められた色とは異なる色で前記差分画像の背面に重ねる請求項５記載の画像処理装置。
【請求項７】
比較対象の２つの入力画像を受け付ける受付手段と、
前記受付手段により受け付けられた２つの入力画像ごとに一部の領域を除外領域としてそれぞれ指定する指定手段と、
前記２つの入力画像において、前記指定手段により指定されたそれぞれの除外領域以外の領域に含まれる画像データどうしの差分を検出する検出手段と、
前記検出手段により検出された差分結果を示す差分画像を生成する生成手段と、
前記生成手段により生成された差分画像に基づいて記録媒体に画像を出力する出力手段と、
を有する画像形成装置。
【請求項８】
比較対象の２つの入力画像を受け付けるステップと、
受け付けられた２つの入力画像ごとに一部の領域を除外領域としてそれぞれ指定するステップと、
前記２つの入力画像において、指定されたそれぞれの除外領域以外の領域に含まれる画像データどうしの差分を検出するステップと、
検出された差分結果を示す差分画像を生成するステップと、
をコンピュータに実行させるためのプログラム。
【発明の詳細な説明】
【技術分野】
【０００１】
本発明は、画像処理装置、画像形成装置及びプログラムに関する。
【背景技術】
【０００２】
特許文献１には、少なくともいずれかの画像が、複数の画像からなる組を構成する一の画像であるような２つの画像間において、画像に共通して存在する有色画素に差異が埋もれてしまうことを防止する差異検出装置が記載されている。
【先行技術文献】
【特許文献】
【０００３】
【特許文献１】特開２０１２−０８３９９０号公報
【発明の開示】
【発明が解決しようとする課題】
【０００４】
本発明の目的は、比較対象の２つの入力画像の差分を検出する際に、差分結果に含めない領域を２つの入力画像ごとにそれぞれ指定することが可能な画像処理装置、画像形成装置及びプログラムを提供することである。
【課題を解決するための手段】
【０００５】
請求項１に係る本発明は、比較対象の２つの入力画像を受け付ける受付手段と、
前記受付手段により受け付けられた２つの入力画像ごとに一部の領域を除外領域としてそれぞれ指定する指定手段と、
前記２つの入力画像において、前記指定手段により指定されたそれぞれの除外領域以外の領域に含まれる画像データどうしの差分を検出する検出手段と、
前記検出手段により検出された差分結果を示す差分画像を生成する生成手段と、
を有する画像処理装置。
【０００６】
請求項２に係る本発明は、前記検出手段が、前記指定手段により指定されたそれぞれの除外領域に含まれる画素が無効画素であるものとして、前記２つの入力画像の対応する画素どうしを比較することにより差分を検出する請求項１記載の画像処理装置である。
【０００７】
請求項３に係る本発明は、前記生成手段が、前記指定手段により指定された除外領域に含まれる画像データを予め定められた濃度又は色で前記差分画像に重ねる請求項１または２記載の画像処理装置である。
【０００８】
請求項４に係る本発明は、前記生成手段が、前記２つの入力画像のうち、一方の入力画像の除外領域と、他方の入力画像の除外領域とで共通する除外領域がある場合には、当該共通する除外領域に含まれる前記一方の入力画像の画像データを、予め定められた濃度又は色で前記差分画像に重ねる請求項３記載の画像処理装置である。
【０００９】
請求項５に係る本発明は、前記生成手段が、前記２つの入力画像のうち、一方の入力画像の除外領域以外の領域に含まれる有効画素が、他方の入力画像の除外領域と対応する領域に含まれない場合には、当該他方の入力画像の除外領域に含まれる画像データを予め定められた濃度又は色で前記差分画像に重ねて、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを前記予め定められた濃度よりも薄い濃度又は前記予め定められた色とは異なる色で前記差分画像に重ねる請求項３または４記載の画像処理装置である。
【００１０】
請求項６に係る本発明は、前記生成手段が、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを、前記予め定められた濃度よりも薄い濃度又は前記予め定められた色とは異なる色で前記差分画像の背面に重ねる請求項５記載の画像処理装置である。
【００１１】
請求項７に係る本発明は、比較対象の２つの入力画像を受け付ける受付手段と、
前記受付手段により受け付けられた２つの入力画像ごとに一部の領域を除外領域としてそれぞれ指定する指定手段と、
前記２つの入力画像において、前記指定手段により指定されたそれぞれの除外領域以外の領域に含まれる画像データどうしの差分を検出する検出手段と、
前記検出手段により検出された差分結果を示す差分画像を生成する生成手段と、
前記生成手段により生成された差分画像に基づいて記録媒体に画像を出力する出力手段と、
を有する画像形成装置である。
【００１２】
請求項８に係る本発明は、比較対象の２つの入力画像を受け付けるステップと、
受け付けられた２つの入力画像ごとに一部の領域を除外領域としてそれぞれ指定するステップと、
前記２つの入力画像において、指定されたそれぞれの除外領域以外の領域に含まれる画像データどうしの差分を検出するステップと、
検出された差分結果を示す差分画像を生成するステップと、
をコンピュータに実行させるためのプログラムである。
【発明の効果】
【００１３】
請求項１に係る本発明によれば、比較対象の２つの入力画像の差分を検出する際に、差分結果に含めない領域を２つの入力画像ごとにそれぞれ指定することが可能な画像処理装置を提供することができる。
【００１４】
請求項２に係る本発明によれば、２つの入力画像ごとにそれぞれの除外領域に含まれる画像データを比較対象から除外することが可能な画像処理装置を提供することができる。
【００１５】
請求項３に係る本発明によれば、除外領域に含まれる画像データと差分結果とを１つの画像内で区別できる差分画像を生成することが可能な画像処理装置を提供することができる。
【００１６】
請求項４に係る本発明によれば、２つの入力画像の除外領域で共通する除外領域がある場合でも、除外領域に含まれる画像データと差分結果とを１つの画像内で区別できる差分画像を生成することが可能な画像処理装置を提供することができる。
【００１７】
請求項５に係る本発明によれば、一方の画像データの除外領域以外の領域に含まれる有効画素が、他方の画像データの除外領域と対応する領域に含まれる場合でも、除外領域に含まれる画像データと差分結果とを１つの画像内で区別できる差分画像を生成することが可能な画像処理装置を提供することができる。
【００１８】
請求項６に係る本発明によれば、除外領域に含まれる画像データよりも、差分結果が優先して表示される差分画像を生成することが可能な画像処理装置を提供することができる。
【００１９】
請求項７に係る本発明によれば、比較対象の２つの入力画像の差分を検出する際に、差分結果に含めない領域を２つの入力画像ごとにそれぞれ指定することが可能な画像形成装置を提供することができる。
【００２０】
請求項８に係る本発明によれば、比較対象の２つの入力画像の差分を検出する際に、差分結果に含めない領域を２つの入力画像ごとにそれぞれ指定することが可能なプログラムを提供することができる。
【図面の簡単な説明】
【００２１】
【図１】本発明の第１の実施形態の印刷システムを示す図である。
【図２】本発明の一実施形態における差分画像生成装置４０のハードウェア構成を示すブロック図である。
【図３】本発明の一実施形態における差分画像生成装置４０の機能構成を示すブロック図である。
【図４】本発明の一実施形態における指定された除外領域に含まれる画像データを、予め定められた濃度で差分画像に重ねる方法を説明するための図である。
【図５】本発明の一実施形態における差分画像生成装置４０の処理の流れを示すフローチャートである。
【図６】本発明の一実施形態における新旧図面データの一例を示す図である。
【図７】本発明の一実施形態における除外領域の指定画面の一例を示す図である。
【図８】本発明の一実施形態における除外領域を無効画素として新旧図面データの差分を検出する方法を説明するための図である。
【図９】本発明の一実施形態における差分結果を示す差分画像の一例を示す図である。
【図１０】本発明の一実施形態における新旧図面データの除外領域で共通する除外領域の一例を示す図である。
【図１１】本発明の一実施形態において、新図面データの共通する除外領域に含まれる画像データを差分画像に重ねた場合の一例を示す図である。
【図１２】本発明の一実施形態において、旧図面データの除外領域以外の領域に含まれる有効画素が、新図面データのみの除外領域と対応する領域に含まれるか否かの判定方法を説明するための図である。
【図１３】本発明の一実施形態において、旧図面データの有効画素が含まれる領域と対応する新図面データの除外領域に含まれる画像データを差分画像に重ねた場合の一例を示す図である。
【図１４】本発明の一実施形態において、ステップＳ１０５及びステップＳ１０７の条件に合致しない除外領域の画像データを差分画像に重ねた場合の一例を示す図である。
【発明を実施するための最良の形態】
【００２２】
次に、本発明の実施の形態について図面を参照して詳細に説明する。
【００２３】
図１は、本発明の一実施形態の印刷システムのシステム構成を示す図である。
【００２４】
本発明の一実施形態の画像形成システムは、図１に示されるように、端末装置２０と、画像形成装置１０とがネットワーク３０を介して相互に接続されている。端末装置２０は、印刷データを生成して、ネットワーク３０経由にて生成した印刷データを画像形成装置１０に対して送信する。画像形成装置１０は、端末装置２０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。
【００２５】
そして、画像形成装置１０は、差分画像生成装置４０（画像処理装置）をオプション機能として追加可能な構造となっている。差分画像生成装置４０は、例えば、新旧図面のような比較対象の２つの入力画像を受け付けて、この２つの入力画像の差分を検出して、検出された差分を１つの画像データで表示等出力する機能を備えている。例えば、差分画像生成装置４０は、旧図面では存在したが新図面では削除された箇所を赤色で表示し、旧図面では存在しなかったが新図面では追加された箇所を青色で表示することにより１つの画像データ内で新旧図面データ上の差分を表示するようにしている。ただし、以下の説明では、赤色で表示する替わりに太線で表示し、青色で表示する替わりに点線で表示するものとする。
【００２６】
具体的には、差分画像生成装置４０は、比較する２つの図面データを先ずは２値画像データに変換して、対応する画素を順次比較することにより、２つの図面データの差分を検出する。
【００２７】
また、比較する２つの図面が紙の場合には、まず画像形成装置１０のスキャナで画像の読み取りを行って画像データに変換して、この画像データを差分画像生成装置４０に入力して差分検出を行うようにする。
【００２８】
そして、画像形成装置１０は、差分画像生成装置４０において生成された差分画像データに基づいて生成された画像を印刷用紙等に印刷することにより出力する。
【００２９】
次に、本実施形態の画像形成システムにおける差分画像生成装置４０のハードウェア構成を図２に示す。
【００３０】
差分画像生成装置４０は、図２に示されるように、ＣＰＵ１１、メモリ１２、ハードディスクドライブ（ＨＤＤ）等の記憶装置１３、画像形成装置１０の本体との間でデータの送信及び受信を行う通信インタフェース（ＩＦ）１４を有する。これらの構成要素は、制御バス１５を介して互いに接続されている。
【００３１】
ＣＰＵ１１は、メモリ１２または記憶装置１３に格納された制御プログラムに基づいて所定の処理を実行して、差分画像生成装置４０の動作を制御する。なお、本実施形態では、ＣＰＵ１１は、メモリ１２または記憶装置１３内に格納された制御プログラムを読み出して実行するものとして説明したが、当該プログラムをＣＤ−ＲＯＭ等の記憶媒体に格納してＣＰＵ１１に提供することも可能である。
【００３２】
図３は、ＣＰＵ１１によりメモリ１２または記憶装置１３に格納された制御プログラムが実行されることにより実現される差分画像生成装置４０の機能構成を示す図である。
【００３３】
図３に示されるように、本実施形態における差分画像生成装置４０は、図面データ受付部４１と、除外領域指定部４２と、差分検出部４３、有効画素判定部４４と、差分画像生成部４５とによって構成される。
【００３４】
図面データ受付部４１は、画像形成装置１０に設置された図示しないスキャナにより読み取られた比較対象の新旧図面データ（２つの入力画像）を受け付ける。
【００３５】
除外領域指定部４２は、図面データ受付部４１により受け付けられた新旧図面データごとに一部の領域を除外領域としてそれぞれ指定する。
【００３６】
差分検出部４３は、新旧図面データにおいて、除外領域指定部４２により指定されたそれぞれの除外領域以外の領域に含まれる画像データどうしの差分を検出する。なお、本実施形態においては、上述したように、差分検出部４３は、比較する２つの図面データを先ずは２値画像データに変換して、対応する画素を順次比較することにより、新旧図面データの差分を検出する。また、差分検出部４３は、新旧図面データの差分を検出する際に、除外領域指定部４２により指定されたそれぞれの除外領域に含まれる画素が無効画素であるものとして新旧図面データの対応する画素どうしを比較することにより差分を検出する。なお、本実施形態における無効画素とは、２値に変換された画像データにおける白画素であるものとして説明する。
【００３７】
有効画素判定部４４は、図面データ受付部４１により受け付けられた新旧図面データのうち、一方の図面データの除外領域以外の領域に含まれる有効画素が、他方の図面データの除外領域と対応する領域に含まれるか否かを判定する。例えば、有効画素判定部４４は、旧図面データの除外領域以外の領域に含まれる有効画素が、新図面データの除外領域と対応する領域に含まれるか否かを判定する。なお、本実施形態における有効画素とは、２値に変換された画像データにおける黒画素であるものとして説明する。
【００３８】
差分画像生成部４５は、差分検出部４３により検出された差分結果を示す差分画像を生成する。また、差分画像生成部４５は、除外領域指定部４２により指定された除外領域に含まれる画像データを予め定められた濃度で差分画像に重ねる。本実施形態においては、差分画像生成部４５は、除外領域指定部４２により指定された除外領域において、旧図面データのみの除外領域、新図面データのみの除外領域、および旧図面データの除外領域と新図面データの除外領域とで共通する除外領域それぞれに応じた表示方法で除外領域に含まれる画像データを差分画像に重ねる。
【００３９】
例えば、差分画像生成部４５は、図４に示されるように、共通する除外領域については共通する除外領域に含まれる新図面データの画像データを８０％の濃度で差分画像に重ね、旧図面データのみの除外領域については旧図面データの除外領域に含まれる画像データを８０％の濃度で差分画像に重ね、新図面データのみの除外領域については新図面データの除外領域に含まれる画像データを５０％の濃度で差分画像に重ねる。なお、それぞれ指定された除外領域に含まれる画像データを差分画像に重ねる詳細な方法については、後述する図５のフローチャートにおいて説明する。
【００４０】
また、差分画像生成部４５は、生成した差分画像のデータを画像出力部２１に送信し、画像出力部２１は、差分画像生成部４５にから受信した差分画像データに基づいて印刷用紙に印刷する。
【００４１】
次に、本実施形態における画像形成システムの動作について、図５のフローチャートを参照して詳細に説明する。
【００４２】
まず、図面データ受付部４１は、画像形成装置１０に設置された図示しないスキャナにより読み取られた新旧図面データを受け付ける（ステップＳ１０１）。例えば、図面データ受付部４１は、図６（Ａ）に示されるような旧図面データと、図６（Ｂ）に示されるような旧図面データに対して修正が加えられた後の新図面データとを受け付ける。
【００４３】
次に、除外領域指定部４２は、図面データ受付部４１により受け付けられた新旧図面データごとに除外領域をそれぞれ指定する（ステップＳ１０２）。具体的には、除外領域指定部４２は、図示しない表示装置等を介して、図７に示されるような除外領域の指定画面を表示し、ユーザの操作を受け付けることにより、新旧図面データごとに除外領域をそれぞれ指定する。
【００４４】
例えば、除外領域の指定画面において、「領域指定」ボタンが押下された後、ユーザの操作により、図７における太線の点線で示されるように、除外領域指定部４２は、旧図面データにおいてテキストが含まれる２つの領域、および新図面データにおいてテキストが含まれる１つの領域をそれぞれ指定する。そして、指定画面における「開始」ボタンが押下されることにより、除外領域指定部４２は、新旧図面データの除外領域の指定を完了する。
【００４５】
そして、差分検出部４３は、新旧図面データにおいて、除外領域指定部４２により指定されたそれぞれの除外領域以外の領域に含まれる画像データどうしの差分を検出する（ステップＳ１０３）。
【００４６】
具体的には、差分検出部４３は、図８に示されるように、新旧図面データにおいて、除外領域指定部４２により指定された太線の点線で示されるそれぞれの除外領域に含まれる画素を無効画素であるものとして扱い、新旧図面データの対応する画素どうしをそれぞれ比較することにより差分を検出する。
【００４７】
次に、差分画像生成部４５は、差分検出部４３により検出された差分結果を示す差分画像を生成する（ステップＳ１０４）。この時、図９に示されるように、差分画像生成部４５は、旧図面データでは存在したが新図面データでは削除された箇所が太線で表示され、旧図面データでは存在しなかったが新図面データでは追加された箇所が点線で表示されるように、差分結果が視覚的に把握できるような１つの差分画像を生成する。
【００４８】
次に、差分画像生成部４５は、旧図面データの除外領域と、新図面データの除外領域とで共通する除外領域があるか否かを判定する（ステップＳ１０５）。旧図面データの除外領域と、新図面データの除外領域とで共通する除外領域がないと判定された場合（ステップＳ１０５においてｎｏ）には、ステップＳ１０７に進む。
【００４９】
具体的には、図１０に示されるように、まず、差分画像生成部４５は、旧図面データにおいて指定された除外領域と、新図面データにおいて指定された除外領域とを比較する。そして、例えば、図１０に示されるように、新図面データの除外領域内の座標位置において、旧図面データの除外領域が重なっている場合に、差分画像生成部４５は、この新図面データの除外領域と旧図面データの除外領域とで重なっている領域を、旧図面データの除外領域と、新図面データの除外領域とで共通する除外領域であると判定する。また、図１０に示されるように、差分画像生成部４５は、新旧図面データそれぞれの除外領域において、共通する除外領域ではない除外領域を、それぞれ旧図面データのみの除外領域および新図面データのみの除外領域であると判定する。
【００５０】
そして、旧図面データの除外領域と、新図面データの除外領域とで共通する除外領域があると判定された場合（ステップＳ１０５においてｙｅｓ）、図１１に示されるように、差分画像生成部４５は、共通する除外領域に含まれる新図面データの画像データを、予め定められた濃度で差分画像に重ねる（ステップＳ１０６）。本実施形態においては、差分画像生成部４５は、上述した通り、図４に示されるように、予め定められた濃度として８０％の濃度で、共通する除外領域に含まれる新図面データの画像データを差分画像に重ねる。なお、本実施形態においては、共通する除外領域に含まれる新図面データの画像データを差分画像に重ねるものとして説明するが、共通する除外領域に含まれる旧図面データの画像データを差分画像に重ねるようにしてもよい。
【００５１】
また、図１１においては、予め定められた濃度として、８０％の濃度を用いているが、差分画像における他の領域の画像データと、共通する除外領域に含まれる新図面データの画像データとが視覚的に区別できる濃度であれば限定されるものではない。または、濃度に代えて予め定められた特定色を用いてもよい。
【００５２】
次に、有効画素判定部４４は、旧図面データの除外領域以外の領域に含まれる有効画素が、新図面データの除外領域と対応する領域に含まれるか否かを判定する（ステップＳ１０７）。具体的には、図１２に示されるように、有効画素判定部４４は、旧図面データの除外領域以外の領域において、太線の点線により示される新図面データのみの除外領域と対応する領域に、有効画素として旧図面データにおける図形の一部が含まれるか否かを判定する。そして、旧図面データの除外領域以外の領域に含まれる有効画素が、新図面データのみの除外領域と対応する領域に含まれないと判定された場合（ステップＳ１０７においてｎｏ）には、ステップＳ１０９に進む。
【００５３】
また、旧図面データの除外領域以外の領域に含まれる有効画素が、新図面データのみの除外領域と対応する領域に含まれると判定された場合（ステップＳ１０７においてｙｅｓ）、差分画像生成部４５は、この旧図面データの有効画素が含まれる領域と対応する新図面データの除外領域に含まれる画像データを、予め定められた濃度よりも薄い濃度で差分画像に重ねる（ステップＳ１０８）。この時、差分画像生成部４５は、旧図面データの有効画素が含まれる領域と対応する新図面データの除外領域に含まれる画像データを差分画像の背面に重ねる。
【００５４】
具体的には、図１３に示されるように、差分画像生成部４５は、旧図面データの有効画素が含まれる領域と対応する新図面データの除外領域に含まれる画像データを、ステップ１０６において予め定められた濃度で重ねられた画像データよりもさらに薄い濃度で、差分画像の背面に重ねる。例えば、予め定められた濃度が８０％の濃度である場合には、差分画像生成部４５は、予め定められた濃度よりも薄い濃度として、５０％の濃度で旧図面データにおいて有効画素が含まれる領域と対応する新図面データの除外領域に含まれる画像データを、差分画像の背面に重ねる。
【００５５】
なお、予め定められた濃度よりも薄い濃度は、差分画像において、旧図面データの有効画素が含まれる領域と対応する新図面データの除外領域に含まれる画像データと、予め定められた濃度で差分画像に重ねられた画像データとが視覚的に区別できるものであれば限定されるものではない。例えば、濃度に代えて予め定められた特定色を用いてもよい。この場合には、予め定められた濃度に代えて予め定められた色を用いて、予め定められた濃度よりも薄い濃度に代えて予め定められた色とは異なる色を用いるようにしてもよい。
【００５６】
そして、差分画像生成部４５は、ステップＳ１０５及びステップＳ１０７の条件に合致しない除外領域の画像データを予め定められた濃度で差分画像に重ねる（ステップＳ１０９）。具体的には、図１４に示されるように、差分画像生成部４５は、旧図面データのみの除外領域に含まれる画像データを８０％の濃度で差分画像に重ねる。
【００５７】
そして、差分画像生成部４５は、ステップＳ１０１〜ステップＳ１０９の処理により生成された差分画像のデータを画像出力部２１に送信し、画像出力部２１は、差分画像生成部４５から受信した差分画像のデータに基づいて印刷用紙に印刷する。
【００５８】
なお、本実施形態においては、スキャナにより読み取られた新旧図面データを受け付けるものとして説明したが、端末装置２０からネットワーク３０を介して送信された新旧図面データを受け付けるようにしてもよい。また、差分画像生成装置４０をネットワーク３０に直接接続し、ネットワーク３０を介して画像形成装置１０や端末装置２０と相互に接続させてもよい。
【００５９】
また、本実施形態においては、比較対象の２つの入力画像として新旧図面データを用いる場合について説明したが、比較対象の入力画像は図面データに限定されるものではない。
【００６０】
さらに、本実施形態においては、差分画像において、検出された差分結果を太線または点線で示すものとして説明したが、色を変更することにより差分結果を示す等、２つの入力画像の差分結果が視覚的に把握できる方法であれば限定されるものではない。
【００６１】
また、新図面データの除外領域と旧図面データの除外領域とで共通する除外領域、新図面データのみの除外領域及び旧図面データのみの除外領域をそれぞれ判定する方法については、新旧図面データそれぞれの除外領域に共通するかどうかを判定する他に、新旧図面データそれぞれの除外領域に含まれる画像データの差分を求めて判定するようにしてもよい。例えば、新旧図面データそれぞれの除外領域に含まれる画像データの差分を求めた結果、差分が存在しないのであれば、当該領域は新図面データと旧図面データとで共通する除外領域ということになる。また、旧図面データの除外領域から求められた差分は、旧図面データのみの除外領域に含まれる画像データであるため、当該領域は旧図面データのみの除外領域となる。さらに、新図面データの除外領域から求められた差分は、新図面データのみの除外領域に含まれる画像データであるため、当該領域は新図面データのみの除外領域となる。
【００６２】
また、本実施形態においては、旧図面データの除外領域以外の領域に含まれる有効画素が、新図面データの除外領域と対応する領域に含まれるか否かを判定するものとして説明しているが、新図面データの除外領域以外の領域に含まれる有効画素が、旧図面データの除外領域と対応する領域に含まれるか否かを判定するようにしてもよい。
【００６３】
また、本実施形態においては、新旧図面データごとにそれぞれ指定された除外領域に含まれる画像データをそれぞれ差分画像に重ねるものとして説明したが、任意に設定した除外領域に含まれる画像データのみを差分画像に重ねるようにしてもよい。例えば、２つの入力画像ごとにそれぞれ指定された除外領域のうち、共通する除外領域に含まれる画像データのみを差分画像に重ねるようにしてもよいし、２つの入力画像のうち、一方の入力画像において指定された除外領域に含まれる画像データのみを差分画像に重ねるようにしてもよい。さらに、２つの入力画像のうち、一方の入力画像の除外領域以外の領域に含まれる有効画素が、他方の入力画像の除外領域と対応する領域に含まれる場合に、当該他方の入力画像の除外領域に含まれる画像データを差分画像に重ねないようにしてもよい。
【００６４】
さらに、本実施形態においては、差分画像生成部４５により生成された差分画像データを画像出力部２１に送信して用紙に出力するものとして説明したが、ネットワーク３０を介して差分画像のデータを端末装置２０に送信して、端末装置２０により差分画像データを表示するようにしてもよい。
【符号の説明】
【００６５】
１０    画像形成装置
１１    ＣＰＵ
１２    メモリ
１３    記憶装置
１４    通信ＩＦ
１５    制御バス
２０    端末装置
２１    画像出力部
３０    ネットワーク
４０    差分画像生成装置
４１    図面データ受付部
４２    除外領域指定部
４３    差分検出部
４４    有効画素判定部
４５    差分画像生成部
【図１】
2015231181.tif 000003
【図２】
2015231181.tif 000004
【図３】
2015231181.tif 000005
【図４】
2015231181.tif 000006
【図５】
2015231181.tif 000007
【図６】
2015231181.tif 000008
【図７】
2015231181.tif 000009
【図８】
2015231181.tif 000010
【図９】
2015231181.tif 000011
【図１０】
2015231181.tif 000012
【図１１】
2015231181.tif 000013
【図１２】
2015231181.tif 000014
【図１３】
2015231181.tif 000015
【図１４】
2015231181.tif 000016
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
を有する画像処理装置。
【請求項２】
前記検出手段は、前記それぞれの除外領域に含まれる画素が無効画素であるものとして、前記２つの入力画像の対応する画素どうしの差分を検出する請求項１記載の画像処理装置。
【請求項３】
前記生成手段は、前記指定手段により指定された除外領域に含まれる画像データを予め定められた濃度又は色で前記差分画像に重ねる請求項１または２記載の画像処理装置。
【請求項４】
前記生成手段は、前記２つの入力画像のうち、一方の入力画像の除外領域と、他方の入力画像の除外領域とで共通する除外領域がある場合には、当該共通する除外領域に含まれる前記一方の入力画像の画像データを、予め定められた濃度又は色で前記差分画像に重ねる請求項３記載の画像処理装置。
【請求項５】
前記生成手段は、前記２つの入力画像のうち、一方の入力画像の除外領域以外の領域に含まれる有効画素が、他方の入力画像の除外領域と対応する領域に含まれない場合には、当該他方の入力画像の除外領域に含まれる画像データを予め定められた濃度又は色で前記差分画像に重ねて、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを前記予め定められた濃度よりも薄い濃度又は前記予め定められた色とは異なる色で前記差分画像に重ねる請求項３または４記載の画像処理装置。
【請求項６】
前記生成手段は、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを、前記予め定められた濃度よりも薄い濃度又は前記予め定められた色とは異なる色で前記差分画像の背面に重ねる請求項５記載の画像処理装置。
【請求項７】
一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
前記生成手段により生成された差分画像に基づいて記録媒体に画像を出力する出力手段と、
を有する画像形成装置。
【請求項８】
一部の領域を除外領域としてそれぞれ含む２つの入力画像において、それぞれの除外領域以外の領域に含まれる画像データどうしの差分を検出するステップと、
検出された差分結果を示す差分画像を生成するステップと、
をコンピュータに実行させるためのプログラム。
【手続補正２】
【補正対象書類名】明細書
【補正対象項目名】０００５
【補正方法】変更
【補正の内容】
【０００５】
請求項１に係る本発明は、一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
を有する画像処理装置である。
【手続補正３】
【補正対象書類名】明細書
【補正対象項目名】０００６
【補正方法】変更
【補正の内容】
【０００６】
請求項２に係る本発明は、前記検出手段が、前記それぞれの除外領域に含まれる画素が無効画素であるものとして、前記２つの入力画像の対応する画素どうしの差分を検出する請求項１記載の画像処理装置である。
【手続補正４】
【補正対象書類名】明細書
【補正対象項目名】００１１
【補正方法】変更
【補正の内容】
【００１１】
請求項７に係る本発明は、一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
前記生成手段により生成された差分画像に基づいて記録媒体に画像を出力する出力手段と、
を有する画像形成装置である。
【手続補正５】
【補正対象書類名】明細書
【補正対象項目名】００１２
【補正方法】変更
【補正の内容】
【００１２】
請求項８に係る本発明は、一部の領域を除外領域としてそれぞれ含む２つの入力画像において、それぞれの除外領域以外の領域に含まれる画像データどうしの差分を検出するステップと、
検出された差分結果を示す差分画像を生成するステップと、
をコンピュータに実行させるためのプログラムである。
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
を有し、
前記検出手段は、前記それぞれの除外領域に含まれる画素が無効画素であるものとして、前記２つの入力画像の対応する画素どうしの差分を検出する画像処理装置。
【請求項２】
前記生成手段は、前記除外領域に含まれる画像データを予め定められた濃度又は色で前記差分画像に重ねる請求項１記載の画像処理装置。
【請求項３】
前記生成手段は、前記２つの入力画像のうち、一方の入力画像の除外領域と、他方の入力画像の除外領域とで共通する除外領域がある場合には、当該共通する除外領域に含まれる前記一方の入力画像の画像データを、予め定められた濃度又は色で前記差分画像に重ねる請求項２記載の画像処理装置。
【請求項４】
前記生成手段は、前記２つの入力画像のうち、一方の入力画像の除外領域以外の領域に含まれる有効画素が、他方の入力画像の除外領域と対応する領域に含まれない場合には、当該他方の入力画像の除外領域に含まれる画像データを予め定められた濃度又は色で前記差分画像に重ねて、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを前記予め定められた濃度よりも薄い濃度又は前記予め定められた色とは異なる色で前記差分画像に重ねる請求項２または３記載の画像処理装置。
【請求項５】
前記生成手段は、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを、前記予め定められた濃度よりも薄い濃度又は前記予め定められた色とは異なる色で前記差分画像の背面に重ねる請求項４記載の画像処理装置。
【請求項６】
一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
前記生成手段により生成された差分画像に基づいて記録媒体に画像を出力する出力手段と、を有し、
前記検出手段は、前記それぞれの除外領域に含まれる画素が無効画素であるものとして、前記２つの入力画像の対応する画素どうしの差分を検出する画像形成装置。
【請求項７】
一部の領域を除外領域としてそれぞれ含む２つの入力画像において、それぞれの除外領域以外の領域に含まれる画像データどうしの差分を検出するステップと、
検出された差分結果を示す差分画像を生成するステップと、を含み、
前記差分を検出するステップにおいて、前記それぞれの除外領域に含まれる画素が無効画素であるものとして、前記２つの入力画像の対応する画素どうしの差分を検出する処理をコンピュータに実行させるためのプログラム。
【手続補正２】
【補正対象書類名】明細書
【補正対象項目名】０００５
【補正方法】変更
【補正の内容】
【０００５】
請求項１に係る本発明は、一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
を有し、
前記検出手段は、前記それぞれの除外領域に含まれる画素が無効画素であるものとして、前記２つの入力画像の対応する画素どうしの差分を検出する画像処理装置である。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項２に係る本発明は、前記生成手段が、前記除外領域に含まれる画像データを予め定められた濃度又は色で前記差分画像に重ねる請求項１記載の画像処理装置である。
【手続補正５】
【補正対象書類名】明細書
【補正対象項目名】０００８
【補正方法】変更
【補正の内容】
【０００８】
請求項３に係る本発明は、前記生成手段が、前記２つの入力画像のうち、一方の入力画像の除外領域と、他方の入力画像の除外領域とで共通する除外領域がある場合には、当該共通する除外領域に含まれる前記一方の入力画像の画像データを、予め定められた濃度又は色で前記差分画像に重ねる請求項２記載の画像処理装置である。
【手続補正６】
【補正対象書類名】明細書
【補正対象項目名】０００９
【補正方法】変更
【補正の内容】
【０００９】
請求項４に係る本発明は、前記生成手段が、前記２つの入力画像のうち、一方の入力画像の除外領域以外の領域に含まれる有効画素が、他方の入力画素の除外領域と対応する領域に含まれない場合には、当該他方の入力画像の除外領域に含まれる画像データを予め定められた濃度又は色で前記差分画像に重ねて、前記２つの入力画像のうち、一方の入力画像の除外領域以外の領域に含まれる有効画素が、他方の入力画像の除外領域とに対応する領域に含まれる場合には、当該他方の入力画像の除外領域に含まれる画像データを前記予め定められた濃度よりも薄い濃度又は前記予め定められた色とは異なる色で前記差分画像に重ねる請求項２または３記載の画像処理装置である。
【手続補正７】
【補正対象書類名】明細書
【補正対象項目名】００１０
【補正方法】変更
【補正の内容】
【００１０】
請求項５に係る本発明は、前記生成手段が、前記２つの入力画像のうち、一方の入力画像の除外領域以外の領域に含まれる有効画素が、他方の入力画像の除外領域と対応する領域に含まれる場合には、当該他方の入力画像の除外領域に含まれる画像データを、前記予め定められた濃度よりも薄い濃度又は前記予め定められた色とは異なる色で前記差分画像の背面に重ねる請求項４記載の画像処理装置である。
【手続補正８】
【補正対象書類名】明細書
【補正対象項目名】００１１
【補正方法】変更
【補正の内容】
【００１１】
請求項６に係る本発明は、一部の領域を除外領域としてそれぞれ含む２つの入力画像において、それぞれの除外領域以外の領域に含まれる画像データどうしの差分を検出する検出手段と、
前記検出手段により検出された差分結果を示す差分画像を生成する生成手段と、
前記生成手段により生成された差分画像に基づいて記録媒体に画像を出力する出力手段と、を有し、
前記検出手段は、前記それぞれの除外領域に含まれる画素が無効画素であるものとして、前記２つの入力画像の対応する画素どうしの差分を検出する画像形成装置
である。
【手続補正９】
【補正対象書類名】明細書
【補正対象項目名】００１２
【補正方法】変更
【補正の内容】
【００１２】
請求項７に係る本発明は、一部の領域を除外領域としてそれぞれ含む２つの入力画像において、それぞれの除外領域以外の領域に含まれる画像データどうしの差分を検出するステップと、
検出された差分結果を示す差分画像を生成するステップと、を含み、
前記差分を検出するステップにおいて、前記それぞれの除外領域に含まれる画素が無効画素であるものとして、前記２つの入力画像の対応する画素どうしの差分を検出する処理をコンピュータに実行させるためのプログラムである。
【手続補正１０】
【補正対象書類名】明細書
【補正対象項目名】００１４
【補正方法】変更
【補正の内容】
【００１４】
請求項１に係る本発明によれば、さらに、２つの入力画像ごとにそれぞれの除外領域に含まれる画像データを比較対象から除外することが可能な画像処理装置を提供することができる。
【手続補正１１】
【補正対象書類名】明細書
【補正対象項目名】００１５
【補正方法】変更
【補正の内容】
【００１５】
請求項２に係る本発明によれば、除外領域に含まれる画像データと差分結果とを１つの画像内で区別できる差分画像を生成することが可能な画像処理装置を提供することができる。
【手続補正１２】
【補正対象書類名】明細書
【補正対象項目名】００１６
【補正方法】変更
【補正の内容】
【００１６】
請求項３に係る本発明によれば、２つの入力画像の除外領域で共通する除外領域がある場合でも、除外領域に含まれる画像データと差分結果とを１つの画像内で区別できる差分画像を生成することが可能な画像処理装置を提供することができる。
【手続補正１３】
【補正対象書類名】明細書
【補正対象項目名】００１７
【補正方法】変更
【補正の内容】
【００１７】
請求項４に係る本発明によれば、一方の画像データの除外領域以外の領域に含まれる有効画素が、他方の画像データの除外領域と対応する領域に含まれる場合でも、除外領域に含まれる画像データと差分結果とを１つの画像内で区別できる差分画像を生成することが可能な画像処理装置を提供することができる。
【手続補正１４】
【補正対象書類名】明細書
【補正対象項目名】００１８
【補正方法】変更
【補正の内容】
【００１８】
請求項５に係る本発明によれば、除外領域に含まれる画像データよりも、差分結果が優先して表示される差分画像を生成することが可能な画像処理装置を提供することができる。
【手続補正１５】
【補正対象書類名】明細書
【補正対象項目名】００１９
【補正方法】変更
【補正の内容】
【００１９】
請求項６に係る本発明によれば、比較対象の２つの入力画像の差分を検出する際に、差分結果に含めない領域を２つの入力画像ごとにそれぞれ指定することが可能な画像形成装置を提供することができる。
【手続補正１６】
【補正対象書類名】明細書
【補正対象項目名】００２０
【補正方法】変更
【補正の内容】
【００２０】
請求項７に係る本発明によれば、比較対象の２つの入力画像の差分を検出する際に、差分結果に含めない領域を２つの入力画像ごとにそれぞれ指定することが可能なプログラムを提供することができる。